(57)【要約】【課題】本発明は、キャラクター着ぐるみに備えたモニターの動画と音声とキャラクター着ぐるみ自身によって、集客効果を有し、キャラクター着ぐるみに備えた非接触ＩＣチップのリーダー／ライターを用いてサイトのＵＲＬを提供し、そのＵＲＬを利用することによって企業や店舗のサイトの会員登録やクーポンの提供を受けることができると共に、各企業は会員登録を増やすことができるキャラクター着ぐるみ及びその使用方法を提供する。【解決手段】動画と音声を記憶し再生することができる記憶再生装置と、前記再生された動画を映し出すことができるモニターと、を備え、かつ、非接触型ＩＣチップ付き携帯機器にＵＲＬ情報を送信することができる非接触型ＩＣチップのリーダー／ライター装置と、前記モニターと前記記憶再生装置とを作動させる電源と、を備えたことを特徴とするキャラクター着ぐるみ。【選択図】図２
2012226455.tif 000002
【特許請求の範囲】
【請求項１】
人間が中に入り、遊園地内、イベント会場内、商店街などの施設内を歩き回ることができるキャラクター着ぐるみにおいて、動画と音声を記憶し再生することができる記憶再生装置と、前記再生された動画を映し出すことができるモニターと、を備え、かつ、非接触型ＩＣチップ付き携帯機器にＵＲＬ情報を送信することができる非接触型ＩＣチップのリーダー／ライター装置と、前記モニターと前記記憶再生装置とを作動させる電源と、を備えたことを特徴とするキャラクター着ぐるみ。
【請求項２】
前記非接触型ＩＣチップ付き携帯機器が非接触型ＩＣチップ付き携帯電話又は非接触型ＩＣチップ付きスマートフォンであることを特徴とする請求項１に記載のキャラクター着ぐるみ。
【請求項３】
遊園地内、イベント会場内、商店街などの施設内において、請求項１に記載のキャラクター着ぐるみの前記非接触型ＩＣチップのリーダー／ライターに顧客の非接触型ＩＣチップ付き携帯機器を近付けることによって、前記非接触型ＩＣチップのリーダー／ライターから前記非接触型ＩＣチップ付き携帯機器に各企業の会員サイトのＵＲＬ情報を送信して前記ＵＲＬ情報を提供することを特徴とするキャラクター着ぐるみの使用方法。
【請求項４】
遊園地内、イベント会場内、商店街などの施設内において、請求項１に記載のキャラクター着ぐるみの前記非接触型ＩＣチップのリーダー／ライターに顧客の非接触型ＩＣチップ付き携帯機器を近付けることによって、前記非接触型ＩＣチップのリーダー／ライターから顧客の非接触型ＩＣチップ付き携帯機器に各企業の会員サイトのＵＲＬ情報を送信して前記ＵＲＬ情報を提供し、該顧客が前記ＵＲＬ情報を利用して前記各企業の会員サイトにアクセスして会員登録をすることを特徴とするキャラクター着ぐるみの使用方法。
【請求項５】
遊園地内、イベント会場内、商店街などの施設内において、請求項１に記載のキャラクター着ぐるみの前記非接触型ＩＣチップのリーダー／ライターに顧客の非接触型ＩＣチップ付き携帯機器を近付けることによって、前記非接触型ＩＣチップのリーダー／ライターから顧客の非接触型ＩＣチップ付き携帯機器に各企業の会員サイトのＵＲＬ情報を送信して前記ＵＲＬ情報を提供し、該顧客が前記ＵＲＬ情報を利用して前記各企業の会員サイトにアクセスしてクーポンなどの販促品を要求することにより、前記各企業がクーポンなどの販促品を前記非接触型ＩＣチップ付き携帯機器に送信して提供することを特徴とするキャラクター着ぐるみの使用方法。
【請求項６】
前記非接触型ＩＣチップ付き携帯機器が非接触型ＩＣチップ付き携帯電話又は非接触型ＩＣチップ付きスマートフォンであることを特徴とする請求項３から５のいずれかに記載のキャラクター着ぐるみの使用方法。
【発明の詳細な説明】
【技術分野】
【０００１】
本発明は、顧客の方から積極的に近寄ってきて、顧客の非接触型ＩＣチップ付き携帯機器に対し、非接触ＩＣチップのリーダー／ライターによって会員サイトのＵＲＬ情報や顧客データの送受信ができ、かつ、モニターに動画を映し出せる着ぐるみに関するものである。また、そのキャラクター着ぐるみの使用方法に関するものである。
【背景技術】
【０００２】
従前より、各企業や店舗等において、登録希望者が、所定の会員登録申込用紙に、住所、氏名、年齢、電話番号、メールアドレス等の個人情報を記載して、会員登録を行っている。そして、会員登録をすれば、登録時及びイベント時に、料金の割引や販促品の提供のサービス等を受けることができるものである。他方、各企業は、会員登録をしてもらえれば会員から様々な情報を取得することができ、また、会員にダイレクトメールを送ることができ、売上を伸ばすことができるメリットがある。したがって、なるべく多くの人々に会員登録をしてもらえることが望ましい。
【０００３】
そこで、携帯端末の固有データを用いて住所氏名を記入する手間を省いて、会員登録を容易にする有効な会員登録手段が先行技術として開示されている（文献１）
【先行技術文献】
【特許文献】
【０００４】
【特許文献１】特開２００４−３０１６８号公報（〔請求項１〜５〕、〔０００２〜００２４〕、〔図１〜９〕）
【発明の概要】
【発明が解決しようとする課題】
【０００５】
前記先行技術は、住所氏名を記入せずに、携帯端末固有のデータを取得することで会員登録できるので大変便利であり、また、個人情報が漏洩するのではないかという顧客の不安を軽減する点で大変有効であるが、それでもやはり、会員となる顧客の方から会員登録する場所に近寄ってきてたり、積極的に会員登録をすることが少ないという点において問題があった。
【０００６】
そこで、本発明は、上記の問題等を解決したものであって、イベント会場及び店舗等において、顧客はイベント会場の来場の目的の一つがキャラクタ着ぐるみを近くで見ることであるので、そのイベント等のキャラクター着ぐるみが、会場内を歩きまわることによって、顧客の方からそのキャラクター着ぐるみに積極的に近寄ってくることになる。そして、キャラクター着ぐるみに備えられたモニターによって映し出される動画の宣伝広告に乗じて、顧客は会員登録を誘発されて会員登録をしようとキャラクター着ぐるみに備えた非接触ＩＣチップのリーダー／ライターに顧客の非接触ＩＣチップ付き携帯機器を近付ける。そのことによって、企業や店舗のサイトのＵＲＬを取得することができ、そのＵＲＬを利用することによって企業や店舗のサイトの会員登録やクーポンの提供を受けることができると共に、各企業は会員登録を増やすことができるキャラクター着ぐるみ及びその使用方法を提供するものである。
【課題を解決するための手段】
【０００７】
本発明の請求項１に係るキャラクター着ぐるみは、人間が中に入り、遊園地内、イベント会場内、商店街などの施設内を歩き回ることができるキャラクター着ぐるみにおいて、動画と音声を記憶し再生することができる記憶再生装置と、前記再生された動画を映し出すことができるモニターと、を備え、かつ、非接触型ＩＣチップ付き携帯機器にＵＲＬ情報を送信することができる非接触型ＩＣチップのリーダー／ライター装置と、前記モニターと前記記憶再生装置とを作動させる電源と、を備えたことを特徴とする。
【０００８】
また、本発明の請求項２に係るキャラクター着ぐるみは、請求項1において、前記非接触型ＩＣチップ付き携帯機器が非接触型ＩＣチップ付き携帯電話又は非接触型ＩＣチップ付きスマートフォンであることを特徴とする。
【０００９】
これらの構成により請求項１に係るキャラクター着ぐるみは、着ぐるみの中に人間が中に入っているので、遊園地、イベント会場、商店街などの施設内を歩き回ることができる。該キャラクター着ぐるみは、その遊園地等のキャラクターやイベントの後援企業のキャラクター等をモチーフとしている。また、該キャラクター着ぐるみには、ＩＣチップのリーダー／ライターが備えられている。よって、イベント会場への来客者は、キャラクター着ぐるみに設けられた非接触型ＩＣチップのリーダー／ライターに、非接触型ＩＣチップが備え付けた携帯電話又は非接触型ＩＣチップ付きスマートフォン等の携帯機器をかざせば、企業等のサイトのＵＲＬ情報の受信ができる。ここで、非接触型ＩＣチップとは、情報を読み書きできるＩＣチップとコイル状のアンテナからできており、数１０ｃｍぐらい離れた距離まで情報の送受信ができるものである。例えば、ＦｅｌｉＣａ（登録商標）と呼ばれる仕様がある。
【００１０】
また、該キャラクター着ぐるみに備え付けた動画と音声の記憶再生装置とモニターによって、イベントの主催・後援企業の宣伝広告の動画、前記キャラクターの動画、イベント限定のキャンペーン情報等を映し出して来場者に訴求することができるので、かわいらしいキャラクター着ぐるみ自身と相俟って、該イベントの来場者が自分の方から積極的に該キャラクター着ぐるみの周りに集まってくることになる。こうして、自分の方から積極的に集まって来た来場者は、動画や音声の情報に誘発され、非接触型ＩＣチップのリーダー／ライターに自分の非接触型ＩＣチップ付き携帯機器をかざしＵＲＬを取得して、その会員サイトにアクセスし会員登録をすることになり、主催・後援企業は会員を多く獲得することができる。
【００１１】
本発明の請求項３に係るキャラクター着ぐるみの使用方法は、遊園地内、イベント会場内、商店街などの施設内において、請求項１に記載のキャラクター着ぐるみの前記非接触型ＩＣチップのリーダー／ライターに顧客の非接触型ＩＣチップ付き携帯機器を近付けることによって、前記非接触型ＩＣチップのリーダー／ライターから前記非接触型ＩＣチップ付き携帯機器に各企業の会員サイトのＵＲＬ情報を送信して前記ＵＲＬ情報を提供することを特徴とする。
【００１２】
請求項４に係るキャラクター着ぐるみの使用方法は、遊園地内、イベント会場内、商店街などの施設内において、請求項１に記載のキャラクター着ぐるみの前記非接触型ＩＣチップのリーダー／ライターに顧客の非接触型ＩＣチップ付き携帯機器を近付けることによって、前記非接触型ＩＣチップのリーダー／ライターから顧客の非接触型ＩＣチップ付き携帯機器に各企業の会員サイトのＵＲＬ情報を送信して前記ＵＲＬ情報を提供し、該顧客が前記ＵＲＬ情報を利用して前記各企業の会員サイトにアクセスして会員登録をすることを特徴とする。
【００１３】
請求項５に係るキャラクター着ぐるみの使用方法は、遊園地内、イベント会場内、商店街などの施設内において、請求項１に記載のキャラクター着ぐるみの前記非接触型ＩＣチップのリーダー／ライターに顧客の非接触型ＩＣチップ付き携帯機器を近付けることによって、前記非接触型ＩＣチップのリーダー／ライターから顧客の非接触型ＩＣチップ付き携帯機器に各企業の会員サイトのＵＲＬ情報を送信して前記ＵＲＬ情報を提供し、該顧客が前記ＵＲＬ情報を利用して前記各企業の会員サイトにアクセスしてクーポンなどの販促品を要求することにより、前記各企業がクーポンなどの販促品を前記非接触型ＩＣチップ付き携帯機器に送信して提供することを特徴とする。
【００１４】
請求項６に係るキャラクター着ぐるみの使用方法は、請求項３から請求項５において、前記非接触型ＩＣチップ付き携帯機器が非接触型ＩＣチップ付き携帯電話又は非接触型ＩＣチップ付きスマートフォンであることを特徴とする。
【００１５】
これらの構成により請求項３から６に係るキャラクター着ぐるみ使用方法を用いれば、通常、街頭において、各企業のサイト、例えば、有料会員サイト、メールマガジン会員等、の会員を募集しても、客が個人情報の漏洩の問題や送られてくるメールの煩わしさ等を理由にして会員が集まりにくい場合、または積極的に客の方から会員登録に来ない場合でも、イベント等のかわいいキャラクター着ぐるみ自身と、イベントの主催・後援企業等の宣伝広告動画やキャラクターの動画を映し出して客に訴求することと相俟って、該イベント等の来場者ほうから積極的に、該キャラクター着ぐるみの周りに集まってくる。そして、集まってきた来場者は、イベントキャラクター着ぐるみに設けられた非接触型ＩＣチップのリーダー／ライターに、自分の非接触型ＩＣチップ付き携帯電話又は非接触型ＩＣチップ付きスマートフォンのような携帯機器をかざす（近付ける）ことで、携帯機器に各企業のサイトのＵＲＬを簡単に取得でき、そのサイトに該携帯機器でアクセスして、会員登録を行い、そのイベント限定の販促品を得ることができる。したがって、来場者は、携帯機器を通じて販促品を得ることができ、企業は、目的とする多数の会員を獲得することができる。
【００１６】
また、例えば飲食店においては、入店を迷っている通行人に対して、店頭で該キャラクター着ぐるみを使用すれば、キャラクター着ぐるみに興味を示して、通行人の方からキャラクター着ぐるみに近寄って来る。そして、メニューや販促品の宣伝広告の動画をキャラクター着ぐるみのモニターに映し出して客に訴求する。気に入れば、通行人は、非接触型ＩＣチップのリーダー／ライターに、自分の非接触型ＩＣチップ付き携帯電話又は非接触型ＩＣチップ付きスマートフォンのような非接触型ＩＣチップ付き携帯機器をかざすことで、携帯機器に各飲食店（企業）のサイトのＵＲＬを簡単に取得でき、そのサイトに該携帯機器でアクセスして、本日使えるクーポン等の販促品を得ることができ、また会員登録を行うこともできる。したがって、客は、お得なクーポンや、来店の景品を得ることができ、店側は、販促品の効果によって来店者数が増えて売上が伸び、さらに会員登録によって、イベント情報を提供できるので、客の購買意欲を惹起することができ、一見の客が顧客となる効果もある。
【発明の効果】
【００１７】
本発明に係る請求項１または２の記載によれば、来場者（客）のほうから積極的に該キャラクター着ぐるみの周りに集まってくるので、企業（店）の宣伝活動が効果的となる。来場者は、キャラクター着ぐるみに設けられた非接触型ＩＣチップのリーダー／ライターに、非接触型ＩＣチップが備え付けた携帯電話やスマートフォン等の携帯機器をかざせば、すばやくＵＲＬ情報を取得でき、前記非接触型ＩＣチップが備え付けた携帯電話やスマートフォン等の携帯機器から前記ＵＲＬ情報を利用して各企業（イベント）のサイトにアクセスすることができ、イベント（来場者）限定の販促品を得ることができるので、キャラクター着ぐるみに合いたい気持ちと限定の販促品を得たい気持ちを惹起してイベントの来場者も増える。
【００１８】
本発明に係る請求項３から６の記載によれば、イベントの来場者側は、非接触型ＩＣチップ付き携帯機器を通じてＵＲＬ情報を取得でき、前記携帯機器から前記ＵＲＬ情報を利用して販促品を得ることができるので、会員登録をする意欲が起き、また、企業側は、会員を多く獲得することができるので、企業活動が活発となり売上を伸ばすことができる。また、客側はお得なクーポンや、限定の景品を得ることができるので、購買意欲が増し、店側は、販促品の効果によって来店者数が増えて売上が伸び、さらに会員登録によって、お得なイベント情報を提供できるので、客の購買意欲を惹起することができ、一見の客を顧客とすることができる。
【図面の簡単な説明】
【００１９】
【図１】図１は、本発明の実施するための形態に係るキャラクター着ぐるみであって、模式的全体斜視図である。
【図２】図２は、本発明の実施するための形態に係るキャラクター着ぐるみの使用方法のブロック線図である。
【発明を実施するための形態】
【００２０】
本発明に係るキャラクター着ぐるみ及びその使用方法を実施するための形態について図１及び図２を用いて説明する。図１は、本発明のキャラクター着ぐるみであって、模式的全体斜視図である。図２は、本発明の実施するための形態に係るキャラクター着ぐるみの使用方法のブロック線図である。
【００２１】
本発明に係るキャラクター着ぐるみ１は、キャラクターの着ぐるみ２と、その着ぐるみ２に備えられた動画と音声を記憶再生できる記憶再生装置５と、該記憶再生装置に記憶された動画を再生して映し出すモニター４と、客の非接触型ＩＣチップ付き携帯機器（例えば、非接触型ＩＣチップ付き携帯電話や非接触型ＩＣチップ付きスマートフォンなど）に各サイトのＵＲＬ情報の送信ができる非接触型ＩＣチップのリーダ−／ライター３と、前記情報モニター４と前記再生装置５とを作動させる電源（図示しない）と、から構成されている。
【００２２】
着ぐるみ２は、人が中に入って歩き回ることができる着ぐるみであって、外見は、各企業のキャラクターやイベントのキャラクターをモチーフにしている。また、キャラクター着ぐるみ１には、例えば、胸、顔、頭、背中、腕もしくは足に、モニター４が、設けられており、各企業やイベント等の宣伝・広告やキャラクター自身やキャラクターのアニメの動画等を音声と共に記憶や再生できる記憶再生装置５と接続させており、その再生した動画を映し出すことができる。なお、通常は、動画と音声を同時に再生するが、場合によっては音声は消音することもできる。
【００２３】
また、キャラクター着ぐるみ１には、客の非接触型ＩＣチップ付き携帯機器と情報の送受信ができる非接触型ＩＣチップのリーダ−／ライター３とを備えており、前記非接触型ＩＣチップのリーダ−／ライター３から客の非接触型ＩＣチップ付き携帯機器に会員サイトのＵＲＬ情報を送信できる。また、モニター４、動画と音声の記憶再生装置５を作動させる電源は、通常はバッテリーであり、太陽電池を用いてもよいし、可能であるならば外部の電源から電線を引いてもよい。なお、非接触型ＩＣチップのリーダ−／ライター３の内部には乾電池を備えている。また、非接触型ＩＣチップ付き携帯機器には、非接触型ＩＣチップ付き携帯電話や非接触型ＩＣチップ付きスマートフォン等がある。
【００２４】
キャラクター着ぐるみ１の作用効果を説明すると、キャラクター着ぐるみ１は、かわいらしさやめずらしさからとても人気があるので、キャラクター着ぐるみ１を、近くに、また、遠目に見た客は、可愛らしくまた珍しく思うので、客の方から着ぐるみ２に近寄って来る。そして、キャラクター着ぐるみ１に備えられたモニター４で映し出された宣伝、広告、販促品提供の情報と記憶再生装置５で再生された音声によって訴求された客は、その宣伝、広告、販促品提供の情報に誘発されて、その会員情報を取得したいと考える。そして、その客は、非接触型ＩＣチップのリーダ−／ライター３に自分の非接触型ＩＣチップ付き携帯機器をかざすことによって、会員サイトのＵＲＬ情報を取得することができる。そして、携帯機器を取得したＵＲＬに接続することによって、客は会員となることができ、会員なった顧客は、企業等のインターネットや企業等からの電子メールを通じて、イベント限定の販促品、別のイベント情報、広告宣伝情報、会員情報等の情報を得ることができる。
【００２５】
次に、本発明に係るキャラクター着ぐるみ１の使用方法の一例を説明する。本発明に係るキャラクター着ぐるみ１を遊園地やイベント会場で使用した場合には、本発明のキャラクター着ぐるみ１は、主に遊園地のテーマに合ったキャラクターやイベントのキャラクターをモチーフにした着ぐるみ２を使用することになる。そして、イベント会場等に来場している客は、キャラクター着ぐるみ１に会えることを一つの楽しみに来ているので、キャラクター着ぐるみ１に出会うと客の方からキャラクター着ぐるみ１に近寄ってくることになる。そして、キャラクター着ぐるみ１の胸に備えたモニター４に映し出されるイベントの宣伝、主催や後援企業の広告、該イベント限定の販促品の情報を音声と共に訴求することで、客は、宣伝広告が気に入ったり、該イベント限定の販促品が欲しくなったりして、非接触型ＩＣチップのリーダ−／ライター３に自分の非接触型ＩＣチップ付き携帯機器をかざして、イベントの会員サイトや主催・後援企業のサイトのＵＲＬ情報を取得するのである。そして、客は、その携帯機器からを該ＵＲＬ使って、各サイトにに接続し、会員登録をして、イベント限定の販促品等の提供を受けるのである。
【００２６】
即ち、各企業の側からは、有料会員サイト、メールマガジン会員等、の会員を募集しても、会員登録の手続きが煩わしいことや個人情報の漏洩のおそれや送られてくるメールの煩わしさ等を理由にして会員が集まりにくい場合でも、本発明のキャラクター着ぐるみ１の集客効果で、客の方からこちらに近付いてきて会員登録の手続きをしてくれるので、効率良く会員募集をすることができ、多数の会員を獲得することができることになる。さらに、多くの人がキャラクター着ぐるみ１に会いたく思うので、イベントの来場者自体も増えることになる。
【００２７】
さらに、本発明に係るキャラクター着ぐるみ１の別の使用方法の一例を説明する。本発明に係るキャラクター着ぐるみ１を店舗の内やその周辺で使用した場合には、本発明のキャラクター着ぐるみ１は、店舗やその企業のキャラクターをモチーフにした着ぐるみ２を使用することになる。そして、その店舗の前を通りかかった客は、キャラクター着ぐるみ１を見かけるとキャラクター着ぐるみ１に興味を示して近寄って来る。キャラクター着ぐるみ１は、メニューや販促品の宣伝お得な情報の動画をモニターに映し出して客に訴求する。客となる通行人は、購買意欲を掻き立てられて、非接触型ＩＣチップのリーダー／ライター３に自分の非接触型ＩＣチップ付き携帯機器をかざすことで、店舗のサイトのＵＲＬ情報を取得するのである。そして、客は、その携帯機器からを該ＵＲＬ使って、本日使えるクーポン等の販促品を取得することができるので食事や安く買い物ができるようになる。また、会員登録を行うこともできるので、次回の来店時にも、特典を得ることができるようになる。
【００２８】
即ち、店舗の側からは、販促品の効果によって来店者数が増えて売上が伸び、さらに会員登録によって、イベント情報を提供や次回来店の特典も提供できるので、客の購買意欲を惹起することができ、一見の客が顧客となる。
【００２９】
また、企業や店舗は、登録された会員情報を利用して様々なサービスを提供することもできるようになり、売上を向上することができるようになる。
【産業上の利用可能性】
【００３０】
着ぐるみを使用する遊園地やイベント等の分野や会員サイトを利用した分野で広く利用できる。
【符号の説明】
【００３１】
１：キャラクター着ぐるみ
２：着ぐるみ
３：非接触型ＩＣチップのリーダ−／ライター
４：モニター
５：記憶再生装置
【図１】
2012226455.tif 000003
【図２】
2012226455.tif 000004